(57)【要約】【課題】リモコン操作をおこなわず、しかも、簡単な動作で被制御機器の制御ができる無線リモコンシステムの提供。【解決手段】リモコン信号５を無線送出する送信機２と、受信機３を有する被制御機器４と、を備えた無線リモコンシステム１において、送信機２は送信機２に電源が入れば外部からの操作がなくともリモコン信号５を継続的に送出するものであり、受信機３は送信機２からのリモコン信号５を受信しなくなくなると予め定めた所定の判断基準をもって被制御機器４に信号を送るものであり、被制御機器４は受信機３からの信号に基づいて動作するものである。【選択図】  図１
2004356937.tif 000002
【特許請求の範囲】
【請求項１】
リモコン信号を無線送出する送信機と、リモコン信号を受信する受信機を有する被制御機器と、を備えた無線リモコンシステムにおいて、送信機は送信機の電源が入れば外部からの操作がなくともリモコン信号を継続的に送出するものであり、受信機は送信機からのリモコン信号を受信しなくなくなると予め定めた所定の判断基準をもって被制御機器に信号を送るものであり、被制御機器は受信機からの信号に基づいて動作するものであることを特徴とする無線リモコンシステム。
【請求項２】
受信機は、被制御機器と着脱可能な構造であって、受信機と被制御機器とは有線接続されており、受信機の電源は被制御機器から供給を受けるものであることを特徴とする請求項１記載の無線リモコンシステム。
【請求項３】
受信機は、被制御機器と着脱可能な構造であって、受信機と被制御機器とはリモコン信号とは別の無線信号によって被制御機器と無線通信するとともに、受信機は受信機を動作させるための電源部を有するものであることを特徴とする請求項１記載の無線リモコンシステム。
【請求項４】
受信機は、制御信号を送信する受信機側送信部を備え、受信機側送信部はリモコン信号の受信レベル値が予め設定した閾値を下回れば、リモコン信号の送出出力を増加するよう指示する旨の制御信号を無線送出し、リモコン信号の受信レベル値が予め設定した閾値を上回れば、リモコン信号の送出出力を低減するよう指示する旨の制御信号を無線送出し、送信機は、制御信号を受信可能な送信機側受信部を備え、送信機側受信部はリモコン信号の送出出力を増加する旨の制御信号を受信するとリモコン信号の送出出力を増加し、送信機側受信部はリモコン信号の送出出力を低減する旨の制御信号を受信すると、リモコン信号の送出出力を低減するものであること特徴とする請求項１乃至請求項３いずれかに記載の無線リモコンシステム。
【請求項５】
被制御機器又は受信機に報知部を設け、リモコン信号の受信レベル値が、予め設定した報知部側閾値を下回れば、受信不可能予測の旨を報知部が報知するものであることを特徴とする請求項４記載の無線リモコンシステム。
【請求項６】
送信機と、受信機と、で１対になった送受信機対を複数有し、各送受信機対の各受信機は同一の被制御機器に接続され、被制御機器は各受信機から送られてくる受信結果をまとめて判断し、動作するものであることを特徴とする請求項１乃至請求項５いずれかに記載の無線リモコンシステム。
【請求項７】
送信機は、リモコン信号を所定期間あけるよう間欠的に繰り返し無線送出するものであり、受信機は、リモコン信号を予め設定した所定期間以上受信しなくなると、予め定めた所定の判断基準をもって被制御機器に信号を送るものであることを特徴とする請求項１乃至請求項６いずれかに記載の無線リモコンシステム。
【発明の詳細な説明】
【０００１】
【発明の属する技術分野】
本発明は、無線リモコンシステムに関するものである。
【０００２】
【従来の技術】
一般的な無線リモコンシステム１０１としては、図１５に示すように、受信部（図示せず）を有する被制御機器１２１と、被制御機器とは別にリモコン（以降、送信機と呼称する）１１１と、を備え、送信機１１１の操作により、遠方から被制御機器１２１を制御するものである。この無線リモコンシステム１０１は、１台の被制御機器に対して被制御機器に対応する１台の送信機が制御信号を送っている。また、被制御機器とは、例えば、テレビ、ＶＴＲ、エアコン、照明機器、等の機器のことである。
【０００３】
例えば、図１５に示すように、被制御機器が、テレビ１２１、ＶＴＲ１２１ａ、エアコン１２１ｂ、照明機器１２１ｎ、等のように複数ある場合、これらを制御するための送信機は、テレビ１２１を制御するための送信機１１１と、ＶＴＲ１２１ａを制御するための送信機１１１ａと、エアコン１２１ｂを制御するための送信機１１１ｂと、照明機器１２１ｎを制御するための送信機１１１ｎがそれぞれ必要である。従って、ｎ種類の被制御機器がある場合は、被制御機器と同じ数の送信機が必要である。
【０００４】
また、他の無線リモコンシステム２０１としては、特開平８−０４７０５５号公報に記載されているものがある。このものは、図１６に示すように、電池２１１とリモコンスイッチ２１２とレーザ光発信回路２１３とレーザダイオード２１４とからなる送信機２１０と、フォトダイオード２２１と帯域増幅器２２２と微分回路２２３とフィリップフロップ２２４ａとスイッチング素子２２４ｂとランプ用電源２２５とランプ２２６とからなる照明機器である被制御機器２２０と、から構成されている。
【０００５】
この無線リモコンシステム２０１は、送信機２１０のレーザダイオード２１４より細いビーム径の可視のレーザ光２１５を照射し、レーザ光２１５が被制御機器２２０のフォトダイオード２２１に照射されるとランプ用電源２２５の制御がおこなわれる。すなわち、ランプ用電源２２５がオン状態（ランプ２２６が点灯）にあればオフ状態（ランプ２２６が消灯）に変わり、オフ状態（ランプ２２６が消灯）にあればオン状態（ランプ２２６が点灯）に変わるものである。
【０００６】
また、複数の被制御機器２２０がある場合は、一台の送信機２１０により、所望の被制御機器２２０を選んでランプ用電源２２５の制御ができる。例えば、この無線リモコンシステム２０１を住宅内に設置した場合は、各照明機器に対して一台の送信機２１０により、照明機器を個別に点灯・消灯することができる。また、オフィス等のように１０灯や２０灯以上の多数の照明機器を設けたフロアに対しても一台の送信機２１０により、必要な照明機器のみを選択して点灯、消灯の動作ができる。
【０００７】
【特許文献１】
特開平８−０４７０５５号公報
【０００８】
【発明が解決しようとする課題】
図１５で説明した従来技術では、被制御機器（電器機器等の機器）の種類が増加するに伴い、被制御機器に付随する送信機の数も増加する。使用者は、被制御機器の種類が違えば被制御機器に対応した送信機を使わなければならない。また、送信機は、送信機が送信機毎に操作方法が異なるので操作が面倒な場合がある。さらに、被制御機器の機能の充実に伴い、送信機の操作方法が複雑になり単純な操作で済ませたい使用者にとっては使いにくいものになる場合がある。
【０００９】
また、特開平８−０４７０５５号公報に記載されている従来技術では、送信機から細いビーム径の可視のレーザ光を照射し、照明機器（被制御機器）のフォトダイオードに照射されるとランプ用電源の制御をおこなうものであり、このシステムは、照明機器のフォトダイオードにレーザ光を照射しなければならないので、フォトダイオードにレーザ光を照射するのに手間がかかる場合がある。
【００１０】
本発明は、かかる事由に鑑みてなしたものであり、その目的とするところは、リモコンを直接操作せずに、簡単な動作で被制御機器の制御ができる無線リモコンシステムを提供することにある。
【００１１】
【課題を解決するための手段】
上記問題点を解決するため、請求項１記載の発明にあっては、リモコン信号を無線送出する送信機と、リモコン信号を受信する受信機を有する被制御機器と、を備えた無線リモコンシステムにおいて、送信機は送信機の電源が入れば外部からの操作がなくともリモコン信号を継続的に送出するものであり、受信機は送信機からのリモコン信号を受信しなくなくなると予め定めた所定の判断基準をもって被制御機器に信号を送るものであり、被制御機器は受信機からの信号に基づいて動作ものである。
【００１２】
請求項２記載の発明にあっては、請求項１の構成において、受信機は被制御機器と着脱可能な構造であって、受信機と被制御機器とは有線接続されており、受信機の電源は被制御機器から供給を受けるものである。
【００１３】
請求項３記載の発明にあっては、請求項１の構成において、受信機は被制御機器と着脱可能な構造であって、受信機と被制御機器とはリモコン信号とは別の無線信号によって被制御機器と無線通信するとともに、受信機は受信機を動作させるための電源部を有するものである。
【００１４】
請求項４記載の発明にあっては、請求項１乃至請求項３のいずれかの構成において、受信機は、制御信号を送信する受信機側送信部を備え、受信機側送信部はリモコン信号の受信レベル値が予め設定した閾値を下回れば、リモコン信号の送出出力を増加するよう指示する旨の制御信号を無線送出し、リモコン信号の受信レベル値が予め設定した閾値を上回れば、リモコン信号の送出出力を低減するよう指示する旨の制御信号を無線送出し、送信機は、制御信号を受信可能な送信機側受信部を備え、送信機側受信部はリモコン信号の送出出力を増加する旨の制御信号を受信するとリモコン信号の送出出力を増加し、送信機側受信部はリモコン信号の送出出力を低減する旨の制御信号を受信すると、リモコン信号の送出出力を低減するものである。
【００１５】
請求項５記載の発明にあっては、請求項４の構成において、被制御機器又は受信機に報知部を設け、リモコン信号の受信レベル値が、予め設定した報知部側閾値を下回れば、受信不可能予測の旨を報知部が報知するものである。
【００１６】
請求項６記載の発明にあっては、請求項１乃至請求項５のいずれかの構成において、送信機と、受信機と、で１対になった送受信機対を複数有し、各送受信機対の各受信機は同一の被制御機器に接続され、被制御機器は各受信機から送られてくる受信結果をまとめて判断し、動作するものである。
【００１７】
請求項７記載の発明にあっては、請求項１乃至請求項６のいずれかの構成において、送信機は、リモコン信号を所定期間あけるよう間欠的に繰り返し無線送出するものであり、受信機は、リモコン信号を予め設定した所定期間以上受信しなくなると、予め定めた所定の判断基準をもって被制御機器に信号を送るものである。
【００１８】
【発明の実施の形態】
（第１の実施形態）
第１の実施形態の無線リモコンシステム１を、図１、図２に基づいて説明する。この無線リモコンシステム１は、図１に示すように、送信機２と、受信機３を有する被制御機器４と、を備えている。このものは、送信機２と被制御機器４とを、例えば、宅内の部屋や事務所等に配置して使用するものである。
【００１９】
送信機２は、送信機側電源スイッチ（図示せず）と、リモコン信号発生部２１と、リモコン信号送出部２２と、を有している。
【００２０】
送信機側電源スイッチは、このスイッチを入ることにより、継続的に後述するリモコン信号５を無線送出するものである。また、このスイッチを切ることにより、送信機２はリモコン信号５の無線送出を停止するものである。
【００２１】
リモコン信号発生部２１は、リモコン信号５を発生させるものである。また、リモコン信号送出部２２は、リモコン信号５を無線送出するものである。
【００２２】
受信機３は、送信機２からのリモコン信号５を受信する受信部３１と、信号処理部３２と、を有し、受信部３１は送信機２からのリモコン信号５を受信するものである。また、受信機３は、受信したリモコン信号５に基づき、後述する信号処理部より所定の判断基準に従って被制御機器４に信号を送るものである。また、後述する被制御機器側電源スイッチ（図示せず）を入ると、受信機３は送信機２からのリモコン信号５が受信可能になる。
【００２３】
信号処理部３２は、送信機２からのリモコン信号５を予め定めた受信レベル値より大きい場合、受信機３を後述する待機状態にするものである。そして、待機状態に送信機２からのリモコン信号５が受信できなくなると（例えば、０．５〜１秒）、所定の判断基準に従って被制御機器４に信号を送るものである。
【００２４】
被制御機器４は、例えば、テレビ、照明機器、エアコン、等の機器で送信機２により遠隔操作可能であり、受信機３と、被制御機器側電源スイッチと、被制御機器電源（図示せず）を有し、被制御機器側電源スイッチを入ることにより、受信機３は送信機２からのリモコン信号５が受信可能になり、また、被制御機器４は、受信機３からの信号に基づいて動作可能になるものである。
【００２５】
この無線リモコンシステム１のセッティング方法と使用方法について図２のフローチャートに基づいて説明する。
【００２６】
まず、この無線リモコンシステム１のセッティング方法について説明する。
各電源スイッチ（送信機側電源スイッチ、被制御機器側電源スイッチ）を入る。この場合の受信機３は、被制御機器４の電源と連動するようになっている。すなわち、受信機３は、送信機２からのリモコン信号５を受信可能な状態になっている。送信機側電源スイッチが入ると送信機２はリモコン信号５を無線送出する。また、送信機２は、送信機側電源スイッチを切らなければ、継続的にリモコン信号５を無線送出している（▲１▼の動作）。
【００２７】
次に、送信機２からのリモコン信号５が、受信機４が受信できるように、送信機２と、受信機３を有する被制御機器４と、を配置する（▲２▼の動作）。
【００２８】
そして、受信機３が送信機２からのリモコン信号５を受信可能なように配置されると、受信機３は送信機２からのリモコン信号５を安定して受信できるかどうかを判断する。
【００２９】
そして、受信機３が送信機２のリモコン信号５を安定して受信できると判断すれば、送信機２と被制御機器４を配置は完了する。以降、この配置が完了した状態を待機状態と呼称する。
【００３０】
また、受信機３が送信機２のリモコン信号５を安定して受信できないと判断すると、送信機２と、受信機３を有する被制御機器４と、を再度配置し、受信機３が送信機２のリモコン信号５を安定して受信できるまでこの作業を繰り返す。
【００３１】
なお、無線リモコンシステム１は、受信機３の受信部３１の予め設定した受信レベル値より、大きければ、安定して受信できる状態であり、受信レベル値より、小さいければ、安定して受信できない状態である（▲３▼、▲４▼の動作）。
【００３２】
次に、操作方法について説明する。
待機状態において、送信機２と受信機３との間に、手を振るなどの動作や障害物等をいれる動作によってリモコン信号５を遮断して、受信機３がリモコン信号５を受信できないようにする（▲５▼の動作）。
【００３３】
受信機３がリモコン信号５を受信できなくなると、受信機３が予め定められた判断基準に従って被制御機器４に信号を送る（▲６▼の動作）。
【００３４】
被制御機器４は、受信機３からの信号に基づき動作を行う（▲７▼の動作）。
【００３５】
従って、無線リモコンシステム１は、受信機３が送信機２からのリモコン信号５を安定して受信できる範囲において、無線リモコンシステム１の使用者の目的に応じた、送信機２、被制御機器４の配置ができるとともに、この無線リモコンシステム１が待機状態のときに、送信機２と受信機３の間に、手を振るなどの動作や障害物等をいれる動作によってリモコン信号５を遮断して、受信機３がリモコン信号５を受信できないようにすることにより、受信機３が予め定められた判断基準をもって被制御機器４に信号を送り、被制御機器４は、信号に基づき動作をおこなうことができる。すなわち、送信機２の操作をおこなわずに被制御機器４を動作することができる。
【００３６】
なお、被制御機器４が、テレビ、照明機器、エアコン等のように、一度配置すると、動かしにくいものや、配置後に動かしたくない場合は、被制御機器４は動かさずに、送信機２を再度配置し、受信機３が送信機２のリモコン信号５を安定して受信できるようにすればよい。
【００３７】
（第２の実施形態）
第２の実施形態の無線リモコンシステム１を、図３、図４、図５に基づいて説明する。この無線リモコンシステム１は、第１の実施形態で説明したものとは、受信機３が被制御機器４と着脱可能な構造であり、そして、受信機３と被制御機器４とは有線１１により接続しているものである。これら以外の構成要素は同じなので説明は省略する。
【００３８】
受信機３は、図３に示すように、受信部３１と、信号処理部３２と、を有している。そして、受信機３は、被制御機器４と有線１１により接続されており、被制御機器４と有線１１を介して通信可能であるとともに、被制御機器４の被制御機器側電源スイッチ（図示せず）を入ると、受信機３は送信機２からのリモコン信号５が受信可能になる。また、被制御機器４より受信機３を動作するための電源が供給されている。なお、受信部３１と信号処理部３２とは、第１の実施形態で説明したものと同じものなので説明は省略する。
【００３９】
この無線リモコンシステム１のセッティング方法と使用方法について図４のフローチャートに基づいて説明する。
【００４０】
まず、この無線リモコンシステム１のセッティング方法について説明する。
各電源スイッチ（送信機側電源スイッチ、被制御機器側電源スイッチ）を入る。この場合の受信機３は、被制御機器４の被制御機器側電源スイッチと連動して動作するようになっており、受信機３の電源（図示せず）は、被制御機器４の電源（図示せず）から有線を介して供給されている。また、送信機側電源スイッチが入ると送信機２はリモコン信号５を無線送出する。この場合の受信機３は、送信機２からのリモコン信号５が受信可能な状態になっている。また、送信機２は、送信機側電源スイッチを切らなければ、継続的にリモコン信号５を無線送出している（▲１▼の動作）。
【００４１】
次に、受信機３を被制御機器４より取外す（▲２▼の動作）。そして、受信機３と被制御機器４との有線１１の接続線が許す範囲、かつ、受信機３が、送信機２からのリモコン信号５を安定して受信できるように配置する（▲３▼の動作）。このとき、受信機３は、送信機２のリモコン信号５を安定して受信できるかどうか判断する（▲４▼の動作）。そして、受信機３が送信機２のリモコン信号５を安定して受信できると判断すれば配置は完了する。以降、この配置が完了した状態を待機状態と呼称する（▲５▼の動作）。
【００４２】
また、受信機３が送信機２のリモコン信号５を安定して受信できないと判断すると送信機２と受信機３を再度配置し、受信機３が送信機２のリモコン信号５を安定して受信できるまでこの作業を繰り返す。
【００４３】
なお、無線リモコンシステム１は、受信機３の受信部３１の予め設定した受信レベル値より、大きければ、安定して受信できる状態であり、受信レベル値より、小さいければ、安定して受信できない状態である。
【００４４】
次に、この無線リモコンシステム１の操作方法について説明する。
この待機状態において、送信機２と受信機３の間に手を振るなどの動作や障害物等をいれる動作によってリモコン信号５を遮断して、受信機３がリモコン信号５を受信できないようにする（▲６▼の動作）。
【００４５】
受信機３がリモコン信号５を受信できなくなると、受信機３が予め定められた判断基準に従って被制御機器４に信号を送る（▲７▼の動作）。
【００４６】
被制御機器４は、受信機３からの信号に基づき動作を行う（▲８▼の動作）。
【００４７】
従って、この無線リモコンシステム１が待機状態のときに、送信機２と受信機３の間に、手を振るなどの動作や障害物等をいれる動作によってリモコン信号５を遮断して、受信機３がリモコン信号５を受信できないようにすることにより、受信機３が予め定められた判断基準をもって被制御機器４に信号を送り、被制御機器４は、信号に基づき動作をおこなうことができる。すなわち、送信機２の操作をおこなわずに被制御機器を動作することができる。
【００４８】
さらに、第１の実施形態で説明した受信機３が被制御機器４に内蔵されている場合に加え、受信機３と被制御機器４との有線１１の接続範囲で無線リモコンシステム１の使用者の目的に応じた、送信機２、受信機３、被制御機器４の配置ができる。例えば、被制御機器４がエアコンの場合、使用者が部屋に入室したときにエアコンを動作させたいときは、図５に示すように、送信機２と受信機３を部屋の入り口付近に配置する。この場合の無線リモコンシステム１は、待機状態になっており、使用者が入室する際に手を振るなどの動作により、リモコン信号５を遮る動作を行う。受信機３は、リモコン信号５を受信できなくなると、受信機３が予め定められた判断基準をもってエアコンを制御するので、この判断基準に従ってエアコンを動作させることができる。
【００４９】
なお、被制御機器４が、テレビ、照明機器、エアコン等のように、一度配置すると、動かしにくいものや、配置後に動かしたくない場合は、被制御機器４は動かさずに、送信機２を再度配置し、受信機３が送信機２のリモコン信号５を安定して受信できるようにすればよい。
【００５０】
（第３の実施形態）
第３の実施形態の無線リモコンシステム１を、図４、図６、図７に基づいて説明する。この無線リモコンシステム１は、第１の実施形態で説明したものとは、受信機３が被制御機器４と着脱可能な構造であり、そして、受信機３と被制御機器４とは、リモコン信号５と別の無線信号６により通信可能（無線通信により接続）できるとともに、受信機３、被制御機器４に新たな機能を設けたものであり、これら以外の構成要素は同じなので説明は省略する。
【００５１】
受信機３は、図６に示すように、受信機側電源スイッチ（図示せず）と、受信部３１と、信号処理部３２と、受信機３自身に電源を供給する電源部３３と、第１の受信機側送信部３４と、を有している。受信機側電源スイッチを入ることにより、受信機３は送信機２からのリモコン信号５が受信可能になる。なお、受信部３１と信号処理部３２とは、第１の実施形態で説明しものと同じものなので説明は省略する。
【００５２】
被制御機器４は、被制御機器側電源スイッチ（図示せず）と、被制御機器側受信部４１と、を有し、被制御機器側電源スイッチを入ることにより、被制御機器側受信部４１は、受信機３からの無線信号６が受信可能になり、また、被制御機器４は、受信機３からの信号に基づいて動作可能になるものである。なお、これら以外は、第１の実施形態で説明しものと同じものなので説明は省略する。
【００５３】
この無線リモコンシステム１のセッティング方法と使用方法について、図４のフローチャートに基づいて説明する。
【００５４】
まず、各電源スイッチ（送信機側電源スイッチ、被制御機器側電源スイッチ）を入る。この場合、受信機３自身の電源は、電源部３３から供給されている。また、送信機側電源スイッチが入ると送信機２はリモコン信号５を無線送出する。このとき、受信機３は、送信機２からのリモコン信号５を受信可能な状態になっている。また、送信機２は、送信機側電源スイッチを切らなければ、継続的にリモコン信号５を無線送出している。（▲１▼の動作）
次に、受信機３を被制御機器４より取外す（▲２▼の動作）。そして、受信機３からの無線信号６が被制御機器４の被制御機器側受信部４１を安定して受信でき、かつ、受信機３が、送信機２からのリモコン信号５を受信できるように配置する（▲３▼の動作）。受信機３は、送信機２のリモコン信号５を安定して受信できるかどうか判断する（▲４▼の動作）。そして、受信機３が送信機２のリモコン信号５を安定して受信できると判断すれば配置は完了する。以降、この配置が完了した状態を待機状態と呼称する（▲５▼の動作）。
【００５５】
また、受信機３が送信機２のリモコン信号５を安定して受信できないと判断すると送信機２と受信機３を再度配置し、受信機３が送信機２のリモコン信号５を安定して受信できるまでこの動作を繰り返す。
【００５６】
なお、無線リモコンシステム１は、受信機３の受信部３１の予め設定した受信レベル値より、大きければ、安定して受信できる状態であり、受信レベル値より、小さいければ、安定して受信できない状態である。また、被制御機器側受信部４１の予め設定した受信レベル値より、大きければ、安定して受信できる状態であり、受信レベル値より、小さいければ、安定して受信できない状態である。
【００５７】
次に、この待機状態において、送信機２と受信機３の間に手を振るなどの動作や障害物等をいれる動作によってリモコン信号５を遮断して、受信機３がリモコン信号５を受信できないようにする（▲６▼の動作）。
【００５８】
受信機３がリモコン信号５を受信できなくなると、受信機３が予め定められた判断基準に従って被制御機器４に信号を送る（▲７▼の動作）。
【００５９】
被制御機器４は、受信機３からの信号に基づき動作を行う（▲８▼の動作）。
【００６０】
従って、この無線リモコンシステム１が待機状態のときに、送信機２と受信機３の間に、手を振るなどの動作や障害物等をいれる動作によってリモコン信号５を遮断して、受信機３がリモコン信号５を受信できないようにすることにより、受信機３が予め定められた判断基準をもって被制御機器４に信号を送り、被制御機器４は、信号に基づき動作をおこなうことができる。すなわち、送信機２の操作をおこなわずに被制御機器を動作することができる。
【００６１】
さらに、第１の実施形態で説明した受信機３が被制御機器４に内蔵されている場合に加え、受信機３と被制御機器４との無線信号６を受信できる範囲で無線リモコンシステム１の使用者の目的に応じた、送信機２、受信機３、被制御機器４の配置ができる。例えば、被制御機器４がエアコンの場合、使用者が部屋に入室したときにエアコンを動作させたい場合は、図７に示すように、送信機２と受信機３を部屋の入り口付近に配置する。この場合の無線リモコンシステム１は、待機状態になっており、使用者が入室する際に手を振るなどの動作により、リモコン信号５を遮る動作をする。受信機３は、リモコン信号５を受信できなくなると、受信機３が予め定められた判断基準をもってエアコンを制御するので、この判断基準に従ってエアコンを動作させることができる。
【００６２】
なお、被制御機器４が、テレビ、照明機器、エアコン等のように、一度配置すると、動かしにくいものや、配置後に動かしたくない場合は、被制御機器４は動かさずに、送信機２を再度配置し、受信機３が送信機２のリモコン信号５を安定して受信できるようにすればよい。
【００６３】
（第４の実施形態）
第４の実施形態の無線リモコンシステム１を、図８、図９に基づいて説明する。この無線リモコンシステム１は、第３の実施形態で説明したものとは、送信機２と受信機３に新たな機能を設けたものであり、これら以外の構成要素は同じなので説明は省略する。
【００６４】
送信機２は、図８に示すように、送信機側電源スイッチ（図示せず）と、リモコン信号発生部２１と、リモコン信号送出部２２と、リモコン信号５と無線信号６とは別の制御信号７が受信可能な送信機側受信部２３を有している。そして、リモコン信号発生部２１は、制御信号７に応じてリモコン信号５の出力を増加又は減少することができる。なお、リモコン信号送出部２２は、第３の実施形態で説明しものと同じものなので説明は省略する。
【００６５】
受信機３は、図８に示すように、受信機側電源スイッチ（図示せず）と、受信部３１と、信号処理部３２と、電源部３３と、第１の受信機側送信部３４と、リモコン信号５と無線信号６とは別の制御信号７を送信可能な第２の受信機側送信部３５を有している。なお、受信部３１と電源部３３と第１の受信機側送信部３４とは、第３の実施形態で説明しものと同じものなので説明は省略する。
【００６６】
信号処理部３２は、第１の実施形態で説明した機能に加え、受信部３１が受信したリモコン信号５の受信レベル値が予め設定した所定のレベルより小さければ、第２の受信機側送信部３５から、送信機２にリモコン信号５の出力を上げる旨の制御信号７を送出させる。また、受信部３１が受信したリモコン信号５の受信レベル値が予め設定した所定のレベルより大きければ、第２の受信機側送信部３５から、送信機２にリモコン信号５の出力を下げる旨の制御信号７を送出させる。
【００６７】
この無線リモコンシステム１のセッティング方法と動作を図９のフローチャートを用いて説明する。このフローチャートは、図２のフローチャートの▲２▼から▲４▼の間に新たな動作を追加したものであり、これら以外の動作は同じなので説明は省略する。
【００６８】
受信機３を送信機２からのリモコン信号５を受信できるように配置する（▲２▼の動作）。このときに、受信機３は、リモコン信号５を受信しているかを判断する。受信機３が送信機２のリモコン信号５を受信できないと判断すると、再び、受信機３が送信機２からのリモコン信号５を受信できるように配置する（▲３▼の動作）。そして、受信機３がリモコン信号５を受信可能であると判断すれば、リモコン信号５が予め設定した十分検出可能である範囲内であるかを判断する（▲４▼の動作）。
【００６９】
そして、受信機３は、リモコン信号５が十分検出可能であると判断すれば待機状態に移る。待機状態において、リモコン信号５の送出出力が予め設定した十分検出可能な範囲内（例えば、予め設定した受信レベル値より、±１０ｄＢ程度の範囲）より大きければ、受信機３は、第２の受信機側送信部３５より、リモコン信号５の送出出力を下げる旨の制御信号７を出力する。そして、送信機２の送信機側受信部２３が前記制御信号７を受信するとリモコン信号５の送出出力を小さくし、リモコン信号５の送出出力が予め設定した十分検出可能な範囲内に収まるようにする。
【００７０】
また、リモコン信号５の送出出力が予め設定した十分検出可能な範囲内（例えば、予め設定した受信レベル値より、±１０ｄＢ程度の範囲）より小さければ、受信機３は、第２の受信機側送信部３５より、リモコン信号５の送出出力を上げる旨の制御信号７を出力する。そして、送信機２の送信機側受信部２３が制御信号７を受信するとリモコン信号５の送出出力を大きくし、リモコン信号５の送出出力が予め設定した十分検出可能な範囲内に収まるようにする。
【００７１】
従って、受信機３が受信しているリモコン信号５の送出出力が十分検出可能な範囲より大きければ、受信機３は、第２の受信機側送信部３５より制御信号７を送出することにより、リモコン信号５の送出出力を小さくすることができ、受信機３が受信しているリモコン信号５の送出出力が十分検出可能な範囲より小さければ、受信機３は、第２の受信機側送信部３５より、制御信号７を送出することにより、リモコン信号５の送出出力を大きくすることができ、送信機２と受信機３とが離れた場合においても適正な送信出力にすることができる。
【００７２】
なお、第１の実施形態又は第２の実施形態で説明した無線リモコンシステム１の送信機２と受信機３とに、上述した新たな機能を設ければ、第４の実施形態で説明した無線リモコンシステム１と同様の作用効果を生じる。
【００７３】
（第５の実施形態）
第５の実施形態の無線リモコンシステム１を、図１０に基づいて説明する。この無線リモコンシステム１は、第４の実施形態で説明したものとは、受信機３に新たな機能を設けたものであり、この以外の構成要素は同じなので説明は省略する。
【００７４】
受信機３は、図１０に示すように、受信機側電源スイッチ（図示せず）と、受信部３１と、信号処理部３２と、電源部３３と、第１の受信機側送信部３４と、第２の受信機側送信部３５と、報知部３６と、を有している。なお、受信機側電源スイッチと受信部３１と電源部３３と第１の受信機側送信部３４、第２の受信機側送信部３５とは、第４の実施形態で説明しものと同じ機能なので説明は省略する。
【００７５】
信号処理部３２は、第４の実施形態で説明した機能に加え、受信部３１が受信したリモコン信号の受信レベル値が予め設定した所定の閾値の最低レベル値を下回れば、報知部３６に可視表示報知又は発音報知する旨の信号を送るものである。
【００７６】
報知部３６は、信号処理部３２からの可視表示報知又は発音報知する旨の信号により、可視表示報知又は発音報知するものである。
【００７７】
例えば、受信機３が送信機２からのリモコン信号５を受信できる状態で、受信機３を送信機２から離すにしたがって受信機３が受信しているリモコン信号５の受信レベル値が小さくなる。受信レベル値が小さくなると、送信機２にリモコン信号５の送出出力を増大する旨の信号を第２の受信機側送信部３５より送出する。送信機側受信部２３がこの信号を受け取ると送信機２は、より送出出力の大きいリモコン信号５を送出する。しかし、リモコン信号５の最大値を送出出力した場合でも、検知可能な最低レベル値を下回ると、報知部３６は受信不可能予測の旨の報知を可視表示報知又は発音報知するものである。
【００７８】
従って、送信機２と受信機３との距離が離れ、受信機３が送信機２からのリモコン信号５が受信できなくなると報知部３６が受信不可の報知をおこなうので、送信機２の設置範囲がわかりやすくなり、送信機２の設置がしやすくなる。
【００７９】
なお、報知部３６は、受信部３に設けられているが、被制御機器４に設けてもよく、設けるところは適宜決めれば良い。
【００８０】
（第６の実施形態）
第６の実施形態の無線リモコンシステム１を、図１１に基づいて説明する。この無線リモコンシステム１は、第５の実施形態で説明したものとは、送信機２と受信機３とで１対になった送受信機対を複数有し、各送受信機対の各受信機は同一の被制御機器に接続されるとともに、被制御機器４に新たな機能を設けたものであり、この以外の構成要素は同じなので説明は省略する。
【００８１】
被制御機器４は、図１０に示すように、送信機２ａ、２ｂ、２ｃ・・２ｎと、受信機３ａ、３ｂ、３ｃ・・３ｎと、で１対になった複数（ｎ個）の送受信機対の各受信機３ａ、３ｂ、３ｃ・・３ｎと有線接続又は無線通信により通信可能（無線通信により接続）であり、複数の受信機からの複数の信号をまとめて信号処理できる被制御機器信号処理部４２を有している。
【００８２】
例えば、被制御機器４が照明機器である無線リモコンシステム１を住宅内の一室で使用する場合、送受信機対をベッドと机とにそれぞれ配置すると、使用者がベッドと机のどちらにいる場合でも、これらの送受信機対のどちらか一対の送信機２と受信機３の間に、手を振るなどの動作や障害物等をいれる動作によってリモコン信号５を遮断して、受信機３がリモコン信号５を受信できないようにすることにより、受信機３が予め定められた判断基準をもって被制御機器４に信号を送り、被制御機器４は、信号に基づき動作をおこなうことができる。すなわち、送信機２の操作をおこなわずに照明機器を点灯させたり、消灯させたりすることができる。
【００８３】
従って、被制御機器４は、複数の送受信機対の各受信機３ａ、３ｂ、３ｃ・・３ｎと有線接続又は無線通信により通信可能（無線通信により接続）であるので、送受信機対を複数の場所に配置することにより、使用者は被制御機器４を複数の場所から操作することができる。
【００８４】
（第７の実施形態）
第７の実施形態の無線リモコンシステム１を、図１２に基づいて説明する。この無線リモコンシステム１は、第６の実施形態で説明したものとは、送信機２に新たな機能を設けたものであり、これら以外の構成要素は同じなので説明は省略する。
【００８５】
送信機２は、図１２に示すように、送信機側電源スイッチ（図示せず）と、リモコン信号発生部２１と、リモコン信号送出部２２と、送信機側受信部２３と、間欠部２４と、を有している。なお、送信機側電源スイッチとリモコン信号送出部２２と送信機側受信部２３とは、第４の実施形態で説明しものと同じものなので説明は省略する。
【００８６】
間欠部２４は、リモコン信号発生部２１が発生するリモコン信号５を所定期間空けるよう間欠的に繰り返した信号にして、リモコン信号発生部２１から出力するものである。所定期間は、例えば、送信機２からのリモコン信号５が遮られる時間に対して、１／１００程度の時間が望ましい。遮られる時間を、０．５〜１秒と、すると、所定期間は、０．００５〜０．０１秒程度の時間である。
【００８７】
従って、送信機２は、間欠部２４の間欠動作により、間欠的にリモコン信号５を無線送出するので、連続的にリモコン信号５を無線送出している場合に比べ低消費電力化が図れる。
【００８８】
なお、第１の実施形態乃至第６の実施形態で説明した無線リモコンシステム１の送信機２に上述した新たな機能を設ければ、第７の実施形態で説明した無線リモコンシステム１と同様の作用効果を生じる。
【００８９】
（第８の実施形態）
第８の実施形態の無線リモコンシステム１を、図１３に基づいて説明する。この無線リモコンシステム１は、第７の実施形態で説明したものとは、送信機２のリモコン信号送出部２２及び受信機３の受信部３１に新たな機能を加えたものであり、これら以外の構成要素は同じなので説明は省略する。
【００９０】
リモコン信号送出部２２は、変調回路２２ａと、発光ダイオード（以降、ＬＥＤと呼称）２２ｂと、指向性調整レンズ２２ｃと、を有している。
【００９１】
変調回路２２ａは、リモコン信号発生部２１が発生したリモコン信号５を変調させ、ＬＥＤ２２ｂから変調光として出力するものである。
【００９２】
ＬＥＤ２２ｂは、ＬＥＤ光をリモコン信号５として、リモコン信号送出部２２から送出するものである。また、送信機２の電源が入ると後述するＬＥＤ２２ｂから発光するＬＥＤ光のリモコン信号５を継続的に送出するものである。
【００９３】
指向性調整レンズ２２ｃは、ＬＥＤ２２ｂのＬＥＤ光の放射指向性を調整するものである。
【００９４】
受信部３１は、可視光周波数帯域フィルタ３１ａと、送信機２からのＬＥＤ光を受光する受光素子３１ｂと、ＬＥＤ光から復調してリモコン信号を取り出す復調回路３１ｃと、を有している。
【００９５】
従って、リモコン信号５を送信機２からＬＥＤで発光することにより、ＬＥＤ光は、狭指向性の光媒体であるので、リモコン信号を室内に散らさずにすみ、無線干渉や電磁波環境の影響を受けなく受信機３にリモコン信号５を送ることができる。
【００９６】
さらに、ＬＥＤ光は、指向性調整レンズ２７により指向性を調整できるので、受信機３の受光部３８ａのＬＥＤ光を照射しやすくなる。
【００９７】
なお、ＬＥＤ２１ｂを可視光周波数帯域発光用のＬＥＤで使用すると可視光なので目視可能で視野に入っても眼底を焼いてしまうことはないのでよい。また、ＬＥＤ２１ｂを赤外光周波数帯域発光用のＬＥＤで使用すると目視不可能なので、ＬＥＤの光で目障りでなくてよい。
【００９８】
なお、ＬＥＤ光の放射指向性を調整する指向性調整レンズ２２ｃの替わりにＬＥＤ印加電流調節回路部を設け、ＬＥＤの負荷電流を調整することにより、ＬＥＤ光の放射指向性を調整してもよい。
【００９９】
（第９の実施形態）
第９の実施形態の無線リモコンシステム１を、図１４に基づいて説明する。この無線リモコンシステム１は、第７の実施形態で説明したものとは、送信機２のリモコン信号送出部２２及び受信機３の受信部３１に新たな機能を加えたものであり、これら以外の構成要素は同じなので説明は省略する。
【０１００】
リモコン信号送出部２２は、変調回路２２ｄと、レーザダイオード２２ｅと、を有している。
【０１０１】
変調回路２２ｄは、リモコン信号発生部２１が発生したリモコン信号５を変調させ、レーザダイオード２２ｅから変調光として出力するものである。
【０１０２】
レーザダイオード２２ｅは、リモコン信号送出部２２の信号を可視光周波数帯域でレーザ光のリモコン信号５として送出するものである。そして、送信機２の電源が入ると継続的にレーザ光を送出するものである。
【０１０３】
レーザダイオード２２ｅは、レーザ光をリモコン信号５として、リモコン信号送出部２２から送出するものである。また、送信機２の電源が入ると後述するレーザダイオード２２ｅから発光するレーザ光のリモコン信号５を継続的に送出するものである。
【０１０４】
受信部３１は、レーザ光をフィルタリングする可視光周波数帯域フィルタ３１ｄと、送信機２からの可視光周波数帯域でレーザ光のリモコン信号５を受光する受光素子３１ｅと、レーザ光から復調してリモコン信号を取り出す復調回路３１ｆと、を有している。
【０１０５】
従って、送信機２からレーザ光を発光することにより、レーザ光は、狭指向性の光媒体であるのでリモコン信号を室内に散らさずにすむので、無線干渉や電磁波環境の影響を受けなく受信機３にリモコン信号５を送ることができる。
【０１０６】
【発明の効果】
請求項１記載の発明にあっては、無線リモコンシステムの送信機と受信機の間に手を振るなどの動作や障害物等をいれる動作によってリモコン信号を遮ることにより受信機がリモコン信号を受信できないようにすると、受信機が予め定められた判断基準をもって被制御機器に信号を送り、被制御機器は、この信号に基づき動作をおこなうこので、送信機の操作をおこなわずに被制御機器を操作ことができる。
【０１０７】
請求項２記載の発明にあっては、請求項１の効果に加え、有線の範囲で無線リモコンシステムの使用者の目的に応じた、送信機、受信機、被制御機器の配置ができる。
【０１０８】
請求項３記載の発明にあっては、請求項１の効果に加え、被制御機器が受信機からの無線信号を受信できる範囲で無線リモコンシステムの使用者の目的に応じた、送信機、受信機、被制御機器の配置ができる。
【０１０９】
請求項４記載の発明にあっては、請求項１乃至請求項３のいずれかの効果に加え、受信機が受信しているリモコン信号の送出出力が小さければ、第２の受信機側送信部より制御信号を送出することにより、リモコン信号の送出出力を大きくすることができ、受信機が受信しているリモコン信号の送出出力が大きければ、受信機は、第２の受信機側送信部より制御信号を送出することにより、リモコン信号の送出出力を小さくすることができるので、送信機と受信機とが離れた場合においても適正な送信出力にすることができる。
【０１１０】
請求項５記載の発明にあっては、請求項４の効果に加え、送信機と受信機との距離が離れ、受信機が送信機からのリモコン信号が受信できなくなると報知部が受信不可の報知をおこなうので、送信機の設置範囲がわかりやすく、設置しやすくなる。
【０１１１】
請求項６記載の発明にあっては、請求項１乃至請求項５のいずれかの効果に加え、被制御機器は、複数の送受信機対の各受信機と有線接続又は無線通信により通信可能（無線通信により接続）であるので、送受信機対を複数の場所に配置することにより、使用者は被制御機器を複数の場所から操作することができる。
【０１１２】
請求項７記載の発明にあっては、請求項１乃至請求項６のいずれかの効果に加え、送信機は、間欠的にコン信号を無線送出するので、連続的にリモコン信号を無線送出している場合に比べ低消費電力化が図れる。
【図面の簡単な説明】
【図１】第１の実施形態の無線リモコンシステムのブロック図である。
【図２】同上のセッティング方法と操作方法を示すフローチャートである。
【図３】第２の実施形態の無線リモコンシステムのブロック図である。
【図４】同上、及び第３の実施形態のセッティング方法及び操作方法を示すフローチャート。
【図５】第２の実施形態の無線リモコンシステムを部屋に配置した場合の一例である。
【図６】第３の実施形態の無線リモコンシステムのブロック図である。
【図７】第３の実施形態の無線リモコンシステムを部屋に配置した場合の一例である。
【図８】第４の実施形態の無線リモコンシステムの送信機及び受信機のブロック図である。
【図９】同上のセッティング方法及び動作を示すフローチャート。
【図１０】第５の実施形態の無線リモコンシステムの受信機のブロック図である。
【図１１】第６の実施形態の無線リモコンシステムのブロック図である。
【図１２】第７の実施形態の無線リモコンシステムの送信機のブロック図である。
【図１３】第８の実施形態の無線リモコンシステムの送信機及び受信機のブロック図である。
【図１４】第９の実施形態の無線リモコンシステムの送信機及び受信機のブロック図である。
【図１５】従来の無線リモコンシステムのブロック図である。
【図１６】特開平８−０４７０５５号公報に記載の無線リモコンシステムのブロック図である。
【符号の説明】
１      無線リモコンシステム
２      送信機
３      受信機
４      被制御機器
５      リモコン信号
６      無線信号
７      制御信号
２３    送信機側受信部
【図１】
2004356937.tif 000003
【図２】
2004356937.tif 000004
【図３】
2004356937.tif 000005
【図４】
2004356937.tif 000006
【図５】
2004356937.tif 000007
【図６】
2004356937.tif 000008
【図７】
2004356937.tif 000009
【図８】
2004356937.tif 000010
【図９】
2004356937.tif 000011
【図１０】
2004356937.tif 000012
【図１１】
2004356937.tif 000013
【図１２】
2004356937.tif 000014
【図１３】
2004356937.tif 000015
【図１４】
2004356937.tif 000016
【図１５】
2004356937.tif 000017
【図１６】
2004356937.tif 000018
【手続補正書】
【提出日】平成16年2月2日(2004.2.2)
【手続補正１】
【補正対象書類名】明細書
【補正対象項目名】請求項１
【補正方法】変更
【補正の内容】
【請求項１】
リモコン信号を無線送出する送信機と、リモコン信号を受信する受信機を有する被制御機器と、を備えた無線リモコンシステムにおいて、送信機は送信機の電源が入れば外部からの操作がなくともリモコン信号を継続的に送出するものであり、受信機は送信機からのリモコン信号を受信しなくなると予め定めた所定の判断基準をもって被制御機器に信号を送るものであり、被制御機器は受信機からの信号に基づいて動作するものであることを特徴とする無線リモコンシステム。
【手続補正２】
【補正対象書類名】明細書
【補正対象項目名】請求項４
【補正方法】変更
【補正の内容】
【請求項４】
受信機は、制御信号を送信する受信機側送信部を備え、受信機側送信部はリモコン信号の受信レベル値が予め設定した閾値を下回れば、リモコン信号の送出出力を増加するよう指示する旨の制御信号を無線送出し、リモコン信号の受信レベル値が予め設定した閾値を上回れば、リモコン信号の送出出力を低減するよう指示する旨の制御信号を無線送出し、送信機は、制御信号を受信可能な送信機側受信部を備え、送信機側受信部はリモコン信号の送出出力を増加する旨の制御信号を受信するとリモコン信号の送出出力を増加し、送信機側受信部はリモコン信号の送出出力を低減する旨の制御信号を受信すると、リモコン信号の送出出力を低減するものであることを特徴とする請求項１乃至請求項３いずれかに記載の無線リモコンシステム。
【手続補正３】
【補正対象書類名】明細書
【補正対象項目名】０００４
【補正方法】変更
【補正の内容】
【０００４】
また、他の無線リモコンシステム２０１としては、特開平８−０４７０５５号公報に記載されているものがある。このものは、図１６に示すように、電池２１１とリモコンスイッチ２１２とレーザ光発信回路２１３とレーザダイオード２１４とからなる送信機２１０と、フォトダイオード２２１と帯域増幅器２２２と微分回路２２３とフリップフロップ２２４ａとスイッチング素子２２４ｂとランプ用電源２２５とランプ２２６とからなる照明機器である被制御機器２２０と、から構成されている。


【手続補正４】
【補正対象書類名】明細書
【補正対象項目名】００１１
【補正方法】変更
【補正の内容】
【００１１】
【課題を解決するための手段】
上記問題点を解決するため、請求項１記載の発明にあっては、リモコン信号を無線送出する送信機と、リモコン信号を受信する受信機を有する被制御機器と、を備えた無線リモコンシステムにおいて、送信機は送信機の電源が入れば外部からの操作がなくともリモコン信号を継続的に送出するものであり、受信機は送信機からのリモコン信号を受信しなくなると予め定めた所定の判断基準をもって被制御機器に信号を送るものであり、被制御機器は受信機からの信号に基づいて動作するものである。


【手続補正５】
【補正対象書類名】明細書
【補正対象項目名】０１１２
【補正方法】変更
【補正の内容】
【０１１２】
請求項７記載の発明にあっては、請求項１乃至請求項６のいずれかの効果に加え、送信機は、間欠的にリモコン信号を無線送出するので、連続的にリモコン信号を無線送出している場合に比べ低消費電力化が図れる。